(57)【特許請求の範囲】
【請求項１】
読み出し専用領域と書き込み可能な領域とを有する円盤状光記録媒体を用いた情報のデジタル記録方法において、
前記円盤状光記録媒体上の少なくとも一箇所に設けた磁気記録領域に記録した信号の位置情報と前記読み出し専用領域内の基準点信号の位置情報との位置関係を暗号鍵情報として入力情報を暗号化し、暗号化された前記入力情報を、前記書き込み可能な領域に記録することを特徴とする円盤状光記録媒体を用いた情報のデジタル記録方法。
【請求項２】
書き込み可能な領域を有する円盤状光記録媒体を用いた情報のデジタル記録方法において、
前記円盤状光記録媒体上の少なくとも一箇所に設けた磁気記録領域に記録した信号の位置情報と前記書き込み可能な領域内の基準位置からの読み出し信号の位置情報との位置関係を暗号鍵情報として入力情報を暗号化し、暗号化された前記入力情報を、前記書き込み可能な領域に記録することを特徴とする円盤状光記録媒体を用いた情報のデジタル記録方法。
【請求項３】
請求項１または請求項２に記載された円盤状光記録媒体を用いた情報のデジタル記録方法において、
前記円盤状光記録媒体上に設けた前記磁気記録領域には暗号鍵生成のための情報が書き込まれていることを特徴とする円盤状光記録媒体を用いた情報のデジタル記録方法。
【請求項４】
読み出し専用領域と書き込み可能な領域とを有する円盤状光記録媒体を用いた円盤状記録媒体への情報のデジタル記録装置において、
前記円盤状光記録媒体上の少なくとも一箇所に設けた磁気記録領域に記録した信号の位置情報を検出する磁気信号検出部と、
前記読み出し専用領域内の基準点信号の位置情報を検出する基準点検出部と、
前記円盤状光記録媒体上の少なくとも一箇所に設けた磁気記録領域に記録した信号の位置情報と前記読み出し専用領域内の基準点信号の位置情報との位置関係から暗号鍵情報を生成する暗号鍵生成部と、
前記暗号鍵生成部の出力信号が供給されて入力情報を暗号化する暗号化部と、
前記暗号化部の出力信号をエンコードし前記書き込み可能な領域に記録する信号を生成するエンコーダ部とより構成されることを特徴とする円盤状光記録媒体を用いた情報のデジタル記録装置。
【請求項５】
書き込み可能な領域を有する円盤状光記録媒体を用いた情報のデジタル記録装置において、
前記円盤状光記録媒体上の少なくとも一箇所に設けた磁気記録領域に記録した信号の位置情報を検出する磁気信号検出部と、
前記書き込み可能な領域内の基準位置からの読み出し信号の位置情報を検出する基準点検出部と、
前記円盤状光記録媒体上の少なくとも一箇所に設けた磁気記録領域に記録した信号の位置情報と前記書き込み可能な領域内の基準位置からの読み出し信号の位置情報との位置関係から暗号鍵情報を生成する暗号鍵生成部と、
前記暗号鍵生成部の出力信号が供給されて入力情報を暗号化する暗号化部と、
前記暗号化部の出力信号をエンコードし、前記書き込み可能な領域に記録する信号を生成するエンコーダ部とより構成されることを特徴とする円盤状光記録媒体を用いた情報のデジタル記録装置。
【請求項６】
請求項４または請求項５に記載された円盤状光記録媒体を用いた情報のデジタル記録装置において、
前記円盤状光記録媒体上に設けた前記磁気記録領域には暗号鍵生成のための情報が書き込まれていることを特徴とする円盤状光記録媒体を用いた情報のデジタル記録装置。
【発明の詳細な説明】
【０００１】
【発明の属する技術分野】
本発明は、記録した円盤状光記録媒体を親として次々と複写を行い、俗に言う「孫コピー」を全く意味のない複写としてしまう円盤状光記録媒体の記録方式を提供する。
【０００２】
【従来の技術】
最近は、音声、音楽、映像などの情報をデジタル形式で記録し再生する装置が急速に普及しつつある。情報の記録再生をデジタル形式で行うと、複写を何回繰り返しても音質や画質の劣化が無いといった特長がある反面、不正複写による著作権者の権利が侵害されているといった問題が浮上してきている。
本発明は、記録した媒体を親として次々と複写を行う、俗に言う「孫コピー」を全く意味のない複写としてしまう方式を提供するものであり、結果的には不正複写の防止につながる。
【０００３】
情報をデジタル形態で記録するシステムでの複写の制御を行う第一の方法としては、音楽情報に対してはＳＣＭＳ（Serial Copy Management System）、映像情報ではＣＧＭＳ（Copy Generation Management System）などが以前より採用されている。
【０００４】
これらは何れも世代管理のためのフラッグを定義し、その世代管理フラッグの状態によって、複写自由、複写禁止、一回のみの複写許可などの制御を行う方式であり、簡単な回路構成で実現できるといった特長を有している。
第二の方法としては、入力情報をそのまま記録せずに、一旦暗号化してから記録することにより、複写自体は可能であっても、暗号化に使用した鍵が無ければ元の情報に戻せないといった方法である。
【０００５】
図３及び図４に、従来からの第一の方法である世代管理フラッグを用いた複写制御を行う方式のブロック構成を示す。
図３において、複写元の媒体３１から読み出された信号はデコーダブロック３２にて誤り訂正などの処理がなされた後、媒体に記録されている情報が出力端子３４に送られる。  デコーダブロック３２からは、世代管理フラッグの信号が世代管理判断ブロック３３に供給され、媒体３１に記録されている情報に関する世代管理の状態が判断される。
【０００６】
ここで、世代管理判断ブロック３３にて判断した結果が複写禁止を示していれば、不正複写を防止するためにデコーダブロック３２は出力端子３４に情報を送らないといった仕組みが考えられる。
しかし、このようにすると、例えば、複写ではなく、単に媒体に記録されている情報を再生しようとしてデジタル入力付きのアンプやテレビに接続したときに、何も再生されないといった問題が発生してしまう。
従って、デジタル出力端子３４には、記録媒体３１に記録されている情報に単に世代管理フラッグを付加するといった程度にとどまっている。
【０００７】
図４は、入力情報をデジタル形態で媒体に記録するときのブロック構成図を示す。
図４に示したき媒体に記録するときのブロック構成図において、入力端子４１には、例えば、前述した情報と世代管理フラッグが一体となって供給され、情報はエンコーダブロック４２にて所定の処理が施されて、記録可能な記録媒体４４に記録される。
【０００８】
一方、世代管理フラッグ検出判断ブロック４３は、入力情報に付加されている世代管理フラッグを検出し、そのフラッグが示している状態が判断し、その状態に対応してエンコーダブロック４２の制御を行う。
【０００９】
例えば、
１）複写自由を示していれば、現在のフラッグを変更することなくそのままの状態で媒体４４への記録を許可する。
２）一回のみの複写許可を示していれば、世代管理フラッグを複写禁止の状態に書き換えてから、記録媒体４４への記録を許可する。
３）複写禁止を示していれば、エンコーダブロック４２を制御して媒体４４への記録を停止させる。
以上が、以前より採用されている情報の複写に対しての管理方法の概要である。
【００１０】
当然のことであるが、例えば、図４で示した世代管理フラッグ検出判断ブロック４３において入力の世代管理フラッグを無視するとか、或いは入力端子４１に供給される信号から世代管理フラッグを書き換えるといったことにより、簡単に不正複写が出来てしまう。  特に最近急速に普及しつつあるパソコンでの記録再生装置では、このようなフラッグを検出する機構がほとんどないため、これまた容易に複写することが出来てしまうといった問題を含んでいる。
【００１１】
次に、不正複写を防止することを目的とした第二の方法について以下に図５と共に簡単に説明する。
入力端子５１からの情報は、暗号化ブロック５２にて暗号化されてから、エンコーダブロック５３を介して書き込み可能な記録媒体５４に記録される。
【００１２】
ブロック５５は、暗号化のための鍵を生成するための暗号鍵生成ブロックであり、予め決められた幾つかの鍵束の中から一つを選択したり、或いは乱数発生によって暗号鍵を生成する。
そして、鍵情報は暗号化ブロック５２に送られると共に、暗号を解くときのために記録媒体５４に記録される。
このとき鍵情報は特別な領域に記録するなどして、通常は外部に出力されないといった工夫が凝らされている。
【００１３】
このように暗号化して情報を記録しておけば、たとえ複写されても暗号が解けなければ、全く意味のないものとなってしまうので、結果的には不正複写の防止につながるわけである。
しかし、鍵情報は特別な領域といえども記録媒体５４に記録されているので、暗号鍵情報が記録されている領域を含めて記録媒体全域を複写してしまえば、暗号が解けてしまうといった問題を含んでいる。
【００１４】
【発明が解決しようとする課題】
当然のことであるが、例えば、図４で示した世代管理フラッグ検出判断ブロック４３において入力の世代管理フラッグを無視するとか、或いは入力端子４１に供給される信号から世代管理フラッグを書き換えるといったことにより、簡単に不正複写が出来てしまう。
【００１５】
特に最近急速に普及しつつあるパソコンでの記録再生装置では、このようなフラッグを検出する機構がほとんどないため、これまた容易に複写できてしまうといった問題点を含んでいる。
また、図５に示されるように、鍵情報は特別な領域といえども円盤状光記録媒体５４に記録されているので、鍵情報が記録されている領域を含めて媒体全域を複写してしまえば、暗号が解けてしまうといった問題を含んでいる。
【００１６】
【課題を解決するための手段】
この課題を解決するため、本発明の請求項１は、読み出し専用領域と書き込み可能な領域とを有する円盤状光記録媒体を用いた情報のデジタル記録方法において、前記円盤状光記録媒体上の少なくとも一箇所に設けた磁気記録領域に記録した信号の位置情報と前記読み出し専用領域内の基準点信号の位置情報との位置関係を暗号鍵情報として入力情報を暗号化し、暗号化された前記入力情報を、前記書き込み可能な領域に記録することを特徴とする円盤状光記録媒体を用いた情報のデジタル記録方法を提供し、本発明の請求項２は、書き込み可能な領域を有する円盤状光記録媒体を用いた情報のデジタル記録方法において、前記円盤状記録媒体上の少なくとも一箇所に設けた磁気記録領域に記録した信号の位置情報と前記書き込み可能な領域内の基準位置からの読み出し信号の位置情報との位置関係を暗号鍵情報として入力情報を暗号化し、暗号化された前記入力情報を、前記書き込み可能な領域に記録することを特徴とする円盤状光記録媒体を用いた情報のデジタル記録方法を提供し、本発明の請求項３は、請求項１または請求項２に記載された円盤状光記録媒体を用いた情報のデジタル記録方法において、前記円盤状光記録媒体上に設けた前記磁気記録領域には暗号鍵生成のための情報が書き込まれていることを特徴とする円盤状光記録媒体を用いた情報のデジタル記録方法を提供し、本発明の請求項４は、読み出し専用領域と書き込み可能な領域とを有する円盤状光記録媒体を用いた円盤状記録媒体への情報のデジタル記録装置において、前記円盤状光記録媒体上の少なくとも一箇所に設けた磁気記録領域に記録した信号の位置情報を検出する磁気信号検出部と、前記読み出し専用領域内の基準点信号の位置情報を検出する基準点検出部と、前記円盤状光記録媒体上の少なくとも一箇所に設けた磁気記録領域に記録した信号の位置情報と前記読み出し専用領域内の基準点信号の位置情報との位置関係から暗号鍵情報を生成する暗号鍵生成部と、前記暗号鍵生成部の出力信号が供給されて入力情報を暗号化する暗号化部と、前記暗号化部の出力信号をエンコードし前記書き込み可能な領域に記録する信号を生成するエンコーダ部とより構成されることを特徴とする円盤状光記録媒体を用いた情報のデジタル記録装置を提供し、本発明の請求項５は、書き込み可能な領域を有する円盤状光記録媒体を用いた情報のデジタル記録装置において、前記円盤状光記録媒体上の少なくとも一箇所に設けた磁気記録領域に記録した信号の位置情報を検出する磁気信号検出部と、前記書き込み可能な領域内の基準位置からの読み出し信号の位置情報を検出する基準点検出部と、前記円盤状光記録媒体上の少なくとも一箇所に設けた磁気記録領域に記録した信号の位置情報と前記書き込み可能な領域内の基準位置からの読み出し信号の位置情報との位置関係から暗号鍵情報を生成する暗号鍵生成部と、前記暗号鍵生成部の出力信号が供給されて入力情報を暗号化する暗号化部と、前記暗号化部の出力信号をエンコードし、前記書き込み可能な領域に記録する信号を生成するエンコーダ部とより構成されることを特徴とする円盤状光記録媒体を用いた情報のデジタル記録装置を提供し、本発明の請求項６は、請求項４または請求項５に記載された円盤状光記録媒体を用いた情報のデジタル記録装置において、前記円盤状光記録媒体上に設けた前記磁気記録領域には暗号鍵生成のための情報が書き込まれていることを特徴とする円盤状光記録媒体を用いた情報のデジタル記録装置を提供する。
【００１７】
【発明の実施の形態】
本発明では、情報をそのまま記録せずに、一旦暗号化してから記録するときに用いる鍵の管理方法が従来と大きく異なる。
【００１８】
本発明による暗号鍵管理の基本的な考え方を理解するために、図１を用いて説明する。  図１（ａ）に示されるように、１４は書き込み可能な円盤状光記録媒体で、内周の一部は読み出し専用の領域１４Ａが、その外周に書き込み可能な領域１４Ｂが設けられているが、読み出し専用の領域が外周部にあっても良い。
【００１９】
その読み出し専用領域１４Ａ内のある特定の場所、基準点を、図中の１４ａで示す。基準点１４ａは、読み出し専用信号より決定されるある特定した場所であって、特に外部から直接見えるものではない。
【００２０】
一方、図中の１４ｍは、円盤状光記録媒体１４の表面に設けられた磁気記録領域である。
本発明では、基準点１４ａと磁気記録領域１４ｍとの位置関係より、暗号化のための鍵情報を生成し、この鍵情報によって入力情報の暗号化を行うものである。
【００２１】
ところで、磁気記録領域１４ｍは印刷によって円盤状記録媒体１４の表面に設けるので、基準点１４ａとの位置関係は媒体毎に異なることになり、逆にこのような円盤状記録媒体を大量生産したとき、基準点１４ａと磁気記録領域１４ｍの位置関係を一定に保持する方が不可能となる。
【００２２】
このことは結果的には、暗号化の鍵情報が媒体毎に異なることを意味しており、仮に暗号化された情報をそのまま別の媒体に複写しても、鍵情報が異なってしまうため暗号を解くことができないことになる。
以上が、本発明による鍵管理の基本的手法である。
【００２３】
本発明による鍵管理の手法を盛り込んだ円盤状光記録媒体を用いた情報のデジタル記録方法及びその装置の一実施例について、図２と共に以下に説明する。
図２に、本発明による鍵管理の手法を盛り込んだデジタル記録装置の一実施例は、円盤状光記録媒体１４、入力情報が供給される暗号化ブロック２２、円盤状光記録媒体１４への記録信号を生成するエンコーダブロック２３、暗号鍵生成ブロック２５、基準点検出ブロック２６、磁気信号検出ブロック２７及び位相差検出部２８により構成されている。
基準点検出ブロック２６は、円盤状光記録媒体１４の読み出し専用領域１４Ａ内から前述した基準点１４ａの位置情報をピックアップ１４ａｐにより検出するための基準点検出ブロックである。
【００２４】
磁気信号検出ブロック２７は、円盤状光記録媒体１４の表面に印刷された磁気記録領域１４ｍからの位置情報をピックアップ１４ｍｐにより読み取る磁気信号検出ブロックである。
基準点の回転速度と印刷された磁気記録媒体の回転速度は同一であるから、２つのブロック２６，２７の検出結果より、互いの位置関係（位相差）を割り出すことができる。
基準点１４ａの位置情報と磁気記録領域１４ｍの位置情報から、位相差検出ブロック２８は、互いの位置関係（位相差）を割り出すことが出来る。
【００２５】
暗号鍵生成ブロック２５では、位相差検出ブロック２８の出力が供給され、この位置関係の値を用いて暗号鍵を生成して暗号化ブロック２２に供給する。
当然のことであるが、暗号化のための鍵生成は、円盤状光記録媒体１４に入力情報を書き込む前に必要となるので、情報の書き込み動作に先だって暗号鍵生成を行っておく必要がある。
【００２６】
また、暗号化して記録された情報を読み出して、元の情報に戻すときにも、同様な手順にて暗号鍵を生成することができる。
以上が、本発明による鍵管理手法を採用した装置の動作概要である。
【００２７】
本発明の円盤状光記録媒体を用いた情報のデジタル記録方法及び記録装置の他の実施例について、図１（ｂ）と共に以下に説明する。
今までの図１（ａ）に示したものは基準点を円盤状光記録媒体１４の読み出し専用領域内としていたが、図１（ｂ）に示されるように、書き込み可能な領域１４Ｂ内であっても基準点１４ｃを設けることが出来る。
一般的に、書き込み可能な記録媒体１４には、前もって読み出し専用情報、例えばアドレス情報が記録されていることが多いので、特定のアドレスを基準点１４ｃとすることができる。
【００２８】
或いは、読み出し専用情報ではなく自分自身で書き込んだ情報であっても、例えば、ファイルシステムのボリューム記述子のように常に固定位置に存在する情報であれば、これを基準点１４ｃとすることが出来る。
一方、１４ｍは、円盤状光記録媒体１４の表面に設けられた磁気記録領域であり、その設定法は、図１（ａ）の場合と同じである。
本発明では、基準点１４ｃと磁気記録領域１４ｍとの位置関係より、暗号化のための鍵情報を生成し、この鍵情報によって入力情報の暗号化を行うものである。
【００２９】
ところで、磁気記録領域１４ｍは例えば印刷によって円盤状光記録媒体１４の表面に設けるので、基準点１４ｃとの位置関係は媒体毎に異なることになり、逆にこのような円盤状記録媒体を大量生産したとき、基準点１４ｃと磁気記録領域１４ｍの位置関係を一定に保持する方が不可能となる。
【００３０】
このことは結果的には、暗号化の鍵情報が媒体毎に異なることを意味しており、仮に暗号化された情報をそのまま別の媒体に複写しても、鍵情報が異なってしまうため暗号を解くことができないことになる。
【００３１】
つぎに、円盤状光記録媒体１４の表面に例えば印刷により構成された磁気記録領域１４ｍについて述べる。
ここに記録する信号としては、単に位置を判別するに必要な簡単な信号でも問題ないが、ある程度の情報を記録しておき、位置関係情報と一緒に暗号鍵生成に使用すれば、鍵の安全性をそれだけ向上させることが出来る。
【００３２】
【発明の効果】
以上説明したように、円盤状光記録媒体の表面の磁気記録領域と円盤状光記録媒体内の基準位置からの読み出される信号との位置関係をベースにして暗号化のための暗号鍵情報を生成するので、単に円盤状光記録媒体内の情報を複写しただけでは暗号を解くことが出来ないので、結果的には不正複写の防止に役立つ。
【００３３】
更に、円盤状光記録媒体上に磁気記録領域を設けることは、印刷手法等により簡単に実現出来、大量生産にむいているといった特長を有している。
【図面の簡単な説明】
【図１】本発明になる円盤状光記録媒体を用いた情報のデジタル記録方法及びその装置の不正複写防止方式の基本概念図を示したものである。
【図２】本発明による不正複写防止を盛り込んだ円盤状光記録媒体を用いた情報のデジタル記録方法及びその装置の一実施例を示したブロック構成図を示したものである。
【図３】従来よりの世代管理フラッグを利用した記録再生装置での再生側の一構成例を示したものである。
【図４】従来よりの世代管理フラッグを利用した記録再生装置での記録側の一構成例を示したものである。
【図５】従来よりの不正複写防止を目的として情報の暗号化を行う記録装置の一構成例を示したものである。
【符号の説明】
１４  円盤状光記録媒体
１４Ａ  読み出し専用領域
１４Ｂ  書き込み可能な領域
１４ａ  ,１４ｃ  基準点
１４ａｐ，１４ｍｐピックアップ
１４ｒｈ  記録ヘッド
１４ｍ  磁気記録領域
２２  暗号化部（暗号化ブロック）
２３  エンコーダ部（エンコーダブロック）
２５  暗号鍵生成部（暗号鍵生成ブロック）
２６  基準点検出部（基準点検出ブロック）
２７  磁気信号検出部（磁気信号検出ブロック）
２８  位相差検出部（位相差検出ブロック）
【図１】
0004120093.tif 000002
【図２】
0004120093.tif 000003
【図３】
0004120093.tif 000004
【図４】
0004120093.tif 000005
【図５】
0004120093.tif 000006